(57)【要約】【課題】本発明は、筐体の内部へ水が浸入することを検知できると共に、水の浸入を検地した場合には所定の動作を行うことで水の浸入を好適に抑制することができる携帯電子機器を提供することを目的とする。【解決手段】携帯電話機１は、筐体２と、筐体２内に配設される陽極部１２０ａ、１２０ｂ及び陰極部１１０ａ、１１０ｂと、陽極部１２０ａ、１２０ｂ及び陰極部１１０ａ、１１０ｂに電気的に接続される電源部１５０ａ、１５０ｂと、陽極部１２０ａ、１２０ｂと陰極部１１０ａ、１１０ｂとの間における電流値を検出する検出部１４０ａ、１４０ｂと、検出部１４０ａ、１４０ｂにおける検出結果に応じて所定の動作を行う制御部２１０と、を備える。【選択図】図４
2010011205.tif 000002
【特許請求の範囲】
【請求項１】
所定の接合領域において互いに接合される第１ケース部材と第２ケース部材とを有して構成される筐体と、
前記接合領域内に配設される陽極部及び陰極部と、
前記陽極部及び前記陰極部に電気的に接続される電源部と、
前記陽極部と前記陰極部との間における電流値を検出する検出部と、
前記検出部における検出結果に応じて所定の動作を行う制御部と、を備える
携帯電子機器。
【請求項２】
報知部を有し、
前記制御部は、前記所定の動作として、前記報知部に対して所定の報知させる
請求項１に記載の携帯電子機器。
【請求項３】
所定のアプリケーションを動作させるアプリケーション動作部を有し、
前記制御部は、前記アプリケーション動作部により前記所定のアプリケーションが動作されている動作状態において、前記所定の動作として、前記アプリケーション動作部に前記所定のアプリケーションを非動作状態にさせる
請求項１又は２に記載の携帯電子機器。
【請求項４】
前記検出部は、前記陽極部と前記陰極部との問の短絡を検出するための短絡検出部を複数有し、
前記制御部は、前記複数の短絡検出部のうちのいずれかの短絡検出部により短絡が検出されたかを判定すると共に、該判定の結果に応じた前記所定の動作を行う
請求項１から請求項３のいずれかに記載の携帯電子機器。
【請求項５】
前記接合領域には、前記第１ケース部材と前記第２ケース部材との接合を強化させる接合強化部が形成され、
前記陽極部及び前記陰極部は、前記接合強化部よりも前記筐体における内部側に配設される
請求項１から４のいずれかに記載の携帯電子機器。
【請求項６】
前記接合領域における前記陽極部及び／又は前記陰極部よりも前記筐体における外部側には、電解質部材が配設される
請求項１から５のいずれかに記載の携帯電子機器。
【請求項７】
前記陽極部及び前記陰極部は、基準電位部に電気的に接続される
請求項１から６のいずれかに記載の携帯電子機器。
【請求項８】
前記陽極部は、前記陰極部よりも前記筐体内部側に配設される
請求項１から７のいずれかに記載の携帯電子機器。
【請求項９】
アンテナ部と、
前記アンテナ部を用いて間欠的に信号を受信する受信部と、を有し、
前記制御部は、前記検出部により前記陽極部と前記陰極部との間の電流値を前記受信部による前記アンテナ部を用いた信号の受信に対応して間欠的に検出する
請求項１から８のいずれかに記載の携帯電子機器。
【発明の詳細な説明】
【技術分野】
【０００１】
本発明は、携帯電話機等の携帯電子機器に関する。
【背景技術】
【０００２】
従来、携帯電子機器としての携帯電話機において、筐体内部に水が浸入することを防止するために各種防水構造が採用されている。
例えば、筐体を構成するケースの接合部に防水用のパッキンを配置して筐体内部へ水が浸入することを防止する防水構造を有する携帯電話機が提案されている（例えば、特許文献１参照）。
【特許文献１】特開平１０−５２８３２号公報
【発明の開示】
【発明が解決しようとする課題】
【０００３】
しかし、特許文献１の携帯電話機において、防水用のパッキンが劣化した場合には、筐体内部に水が浸入することになる。この場合、ユーザは、携帯電話機における所定の機能に不具合が生じてはじめてパッキンが劣化して筐体内部に水が浸入したことを知ることになる。
【０００４】
本発明は、筐体の内部へ水が浸入することを検知できると共に、水の浸入を検地した場合には所定の動作を行うことで水の浸入を好適に抑制することができる携帯電子機器を提供することを目的とする。
【課題を解決するための手段】
【０００５】
本発明は、所定の接合領域において互いに接合される第１ケース部材と第２ケース部材とを有して構成される筐体と、前記接合領域内に配設される陽極部及び陰極部と、前記陽極部及び前記陰極部に電気的に接続される電源部と、前記陽極部と前記陰極部との間における電流値を検出する検出部と、前記検出部における検出結果に応じて所定の動作を行う制御部と、を備える携帯電子機器に関する。
【０００６】
また、報知部を有し、前記制御部は、前記所定の動作として、前記報知部に対して所定の報知させることが好ましい。
【０００７】
また、所定のアプリケーションを動作させるアプリケーション動作部を有し、前記制御部は、前記アプリケーション動作部により前記所定のアプリケーションが動作されている動作状態において、前記所定の動作として、前記アプリケーション動作部に前記所定のアプリケーションを非動作状態にさせることが好ましい。
【０００８】
また、前記検出部は、前記陽極部と前記陰極部との問の短絡を検出するための短絡検出部を複数有し、前記制御部は、前記複数の短絡検出部のうちのいずれかの短絡検出部により短絡が検出されたかを判定すると共に、該判定の結果に応じた前記所定の動作を行うことが好ましい。
【０００９】
また、前記接合領域には、前記第１ケース部材と前記第２ケース部材との接合を強化させる接合強化部が形成され、前記陽極部及び前記陰極部は、前記接合強化部よりも前記筐体における内部側に配設されることが好ましい。
【００１０】
また、前記接合領域における前記陽極部及び／又は前記陰極部よりも前記筐体における外部側には、電解質部材が配設されることが好ましい。
【００１１】
また、前記陽極部及び前記陰極部は、基準電位部に電気的に接続されることが好ましい。
【００１２】
また、前記陽極部は、前記陰極部よりも前記筐体内部側に配設されることが好ましい。
【００１３】
また、アンテナ部と、  前記アンテナ部を用いて間欠的に信号を受信する受信部と、を有し、前記制御部は、前記検出部により前記陽極部と前記陰極部との間の電流値を前記受信部による前記アンテナ部を用いた信号の受信に対応して間欠的に検出することが好ましい。
【発明の効果】
【００１４】
本発明によれば、筐体の内部へ水が浸入することを検知できると共に、水の浸入を検知した場合には所定の動作を行うことで水の浸入を好適に抑制することができる携帯電子機器を提供することができる。
【発明を実施するための最良の形態】
【００１５】
以下、図面を参照して本発明を実施するための最良の形態を説明する。
図１により、第１実施形態の携帯電話機１における基本構造を説明する。図１は、携帯電話機１の正面図である。
【００１６】
図１に示すように、携帯電子機器としての携帯電話機１は、いわゆるストレートタイプの携帯電話機である。携帯電話機１は、縦長状の筐体２を有する。筐体２は、図１における上方側と下方側とが曲面状に形成されると共に、図１における左右両側が直線状に形成される。
【００１７】
筐体２は、外面がフロントケース２ａとリアケース２ｂとにより構成される。筐体２におけるフロントケース２ａ側には、長手方向における一方側（図１において下方側）から音声入力部１２と、操作キー群１１と、表示部２１と、音声出力部２２と、が露出するように配置される。
【００１８】
音声入力部１２は、筐体２の長手方向における一端側に配置される。音声入力部１２は、携帯電話機１が通話に利用されている状態において、使用者の口に対向する位置に配置される。音声入力部１２には、使用者が通話時に発した音声が入力される。
【００１９】
操作キー群１１は、電話番号の数字やメール等の文字等を入力するための入力操作キー１４と、各種操作における決定や上下左右方向のスクロール等を行う操作部材としての決定操作キー１５とにより構成される。操作キー群１１を構成する各キーそれぞれには、各種モードや起動されているアプリケーション等の種類に応じて所定の機能が割り当てられる（キー・アサイン）。そして、使用者が各キーを押圧することにより、各キーに割り当てられている機能に応じた動作が実行される。
【００２０】
表示部２１は、液晶パネルと、液晶パネルを駆動する駆動回路と、液晶パネルの背面側から光を照射するバックライト等の光源部とにより構成される。表示部２１は、各種情報を表示する。
【００２１】
音声出力部２２は、筐体２の長手方向における他端側（図１において上方側）に配置される。音声出力部２２は、携帯電話機１が通話に利用されている状態において、使用者の耳に対向する位置に配置される。音声出力部２２は、通話における相手側からの音声を出力する。
【００２２】
次いで、筐体２の内部構造について説明する。
筐体２は、フロントケース２ａと、キー構造部と、キー基板と、ケース体と、基準電位パターン層及び携帯電話機用のＲＦ（Ｒａｄｉｏ  Ｆｒｅｑｕｅｎｃｙ）モジュール等の各種電子部品を備えるメイン基板と、アンテナ部と、バッテリリッドを備えたリアケース２ｂと、バッテリとを備える。
【００２３】
フロントケース２ａとリアケース２ｂとは、互いの凹状の内側面が向き合うように配置され、互いの外周縁が重なり合うようにして結合される。また、フロントケース２ａとリアケース２ｂとの間には、キー構造部と、キー基板と、ケース体と、メイン基板と、アンテナ部と、が挟まれるようにして内蔵される。また、フロントケース２ａとリアケース２ｂとの間には、表示部２１と、音声出力部２２と、サブ基板とも同様にして挟まれるようにして内蔵される。
【００２４】
ここで、フロントケース２ａとリアケース２ｂとは、外周に形成される接合領域５０に配置されるリング状のパッキン１００により外部から水（水溶液を含む。以下同様。）が浸入しないようにして接合される。また、接合領域５０（図４参照）に配置される陰極部１１０ａ、１１０ｂと、陽極部１２０ａ、１２０ｂとを用いて外部から浸入しようとする水を検知する。詳細は、後述の通りである。
【００２５】
フロントケース２ａには、キー孔が形成される。キー孔それぞれからは、入力操作キー１４を構成する入力操作キー部材の押圧面、及び決定操作キー１５を構成する決定操作キー部材の押圧面が露出される。この露出した入力操作キー部材及び決定操作キー部材の押圧面を押し下げるように押圧することで、対応するキースイッチそれぞれに設けられる後述のメタルドーム（椀状形状）の頂点が押圧され、スイッチ端子に接触して電気的に導通する。
【００２６】
キー構造部は、操作部材と、補強部材としてのキーフレームと、シート部材としてのキーシートと、により構成される。
【００２７】
操作部材は、複数のキー操作部材により構成される。具体的には、入力操作キー部材と、決定操作キー部材とにより構成される。操作部材を構成する各操作キー部材それぞれは、後述するキーフレームを挟んでキーシートに接着される。キーシートに接着された各操作キー部材それぞれにおける押圧面は、上述の通り、キー孔それぞれから外部に露出して配置される。
【００２８】
キーフレームは、孔部が複数形成された金属性の板状部材である。キーフレームは、入力操作キー部材の押圧によるメイン基板等への悪影響を防ぐための補強部材である。また、キーフレームは導電性の部材であり、入力操作キー部材における静電気を逃がすための部材としても機能する。キーフレームに形成される複数の孔部には、後述するキーシートに形成される凸部が嵌合するように配置される。そして、この凸部に入力操作キー部材が接着される。
【００２９】
キーシートは、可撓性を有するシリコンゴム製のシート状部材である。キーシートには、上述の通り、複数の凸部が形成される。複数の凸部は、キーシートにおけるキーフレームが配置される側の面に形成される。この複数の凸部それぞれは、後述するキースイッチに対応する位置に形成される。ここで、キーシートは、筐体の一部と協働して防水構造を構成するように配置してもよい。
【００３０】
キー基板は、キーシート側に配置される複数のキースイッチを有する。複数のキースイッチそれぞれは、各操作部材に対応する位置に配置される。キー基板に配置されるキースイッチは、椀状に湾曲して立体的に形成された金属板のメタルドームを有する構造になっている。メタルドームは、その椀状形状の頂点が押圧されると、キー基板の表面に印刷された電気回路に形成されるスイッチ端子に接触して電気的に導通するように構成される。なお、キー基板は、複数の絶縁層（絶縁フィルム）の間に配線を挟み込んだものである。
【００３１】
キー基板がケース体における平板部に載置されるので、操作部材それぞれが押圧されることによる圧力や撓みは、ケース体の下方に配置されるメイン基板に伝達されにくい。
【００３２】
ケース体は、薄型の直方体における一の広い面が開口した形状を有する導電性の部材である。ケース体は、平板部における開口側の面に略垂直に形成されるリブを有する。リブは、メイン基板に実装される各種電子部品のうち最も高さのある電子部品の高さと同等又はそれよりも十分に高くなるよう形成される。リブは、平板部の周縁及び内側に基準電位部を構成する基準電位パターン層に対応するように形成される。具体的には、ケース体がメイン基板に載置された状態で、基準電位パターン層上に配置されるようにリブが形成される。なお、ケース体は、金属により形成するほか、骨格を樹脂により形成し、その表面に導体膜を形成したものでもよい。
【００３３】
ケース体は、リブの底面が基準電位パターン層に当接されることで、該基準電位パターン層と電気的に接続される。ケース体は、基準電位パターン層と電気的に導通して該基準電位パターン層と同じ大きさの電位を有するようになる。つまり、ケース体は、シールドケースとして機能する。ケース体は、シールドケースとして外部からの高周波等のノイズがメイン基板に配置される各種電子部品に作用するのを抑制すると共に、ＲＦ（Ｒａｄｉｏ  Ｆｒｅｑｕｅｎｃｙ）回路、ＣＰＵ回路、電源回路等から放出されるノイズを遮蔽して、他の電子部品やアンテナに接続される受信回路等に作用することを抑制する。具体的には、ケース体におけるリブの底面が基準電位パターン層上に配置されることで、後述する各回路はリブにより囲われると共に平板部の一部により覆われる。リブは、各回路における隔壁として機能し、平板部の一部と共に各回路をシールドする。
【００３４】
メイン基板には、アンテナが送受信する信号を処理する信号処理部を含む各種電子部品や回路が配置される。各種電子部品は、所定の組み合わせにより複数の回路ブロックを形成する。例えば、ＲＦ（Ｒａｄｉｏ  Ｆｒｅｑｕｅｎｃｙ）回路、電源回路等を含む各種回路ブロックが形成される。メイン基板に実装される電子部品には、外部から水が浸入した場合に故障や誤動作が生じる可能性がある電子部品が含まれる。
【００３５】
メイン基板におけるケース体側の第１面には、上述の各種電子部品のほか、基準電位部を構成する基準電位パターン層が形成される。基準電位パターン層は、上述の各回路ブロックを区画するように形成される。基準電位パターン層は、メイン基板の第１面の表面に導電性の部材を所定パターンで印刷することで形成される。
【００３６】
アンテナ部は、基台上に所定形状のアンテナエレメントが配置されることにより構成さる。アンテナ部は、筐体２における一端側（図１において下方側）に配置される。このアンテナ部のアンテナエレメントは、帯状の板金により形成される。また、アンテナ部は、給電端子を介してメイン基板から給電される。これにより、アンテナエレメントは、給電端子を介してメイン基板から給電されると共に、メイン基板のＲＦモジュール等と接続される。
【００３７】
アンテナ部は、不図示の受信部に電気的に接続される。受信部は、アンテナ部を用いて外部からの信号を受信する。具体的には、受信部は、データ通信等の通信時における連続受信状態と、待ち受け時における間欠受信状態とを有する。ここで、間欠受信状態において、不図示の基地局は、予め携帯電話機１と基地局とでネゴシエーションしておいたタイミングにより所定間隔で携帯電話機１に必要な情報（報知情報や着信）を送信する。そして、携帯電話機１は、上記情報が送信される合間は、受信部への電力供給をカットする。これにより、携帯電話機１において省電力化がはかられている。
【００３８】
リアケース２ｂの一端側には、取り外し可能なバッテリリッドが設けられており、バッテリをリアケース２ｂの外側から収納した後、リアケース２ｂに装着される。また、リアケース２ｂにおける一端側には、ユーザの音声を入力する音声入力部１２（特にマイク）が収容される。
【００３９】
サブ基板には、表示部２１と、音声出力部２２とが電気的に接続される。サブ基板には、表示部２１に対して画像信号を出力する電子部品や、音声出力部２２に音声信号を出力する電子部品が実装される。
【００４０】
続けて、図２から図１０により、本実施形態における防水構造について説明する。
図２は、第１実施形態の携帯電話機１における防水構造を説明する斜視分解図である。
図３は、図１におけるＡ−Ａ断面図である。図４は、図３における領域Ｂの部分拡大図である。図５は、第１実施形態の陰極部１１０ａと陽極部１２０ａの配置を説明する模式図である。図６は、第１実施形態における筐体２に浸入した水を検知する態様について説明する模式図である。図７は、第１実施形態における筐体２に浸入した水を検知する態様について説明するブロック図である。図８は、第１実施形態における機能ブロック図である。図９は、第１実施形態における携帯電話機１の内部を複数のブロックに分けた場合の例を示す模式図である。図１０は、第１実施形態における作用を説明するフロチャートである。
【００４１】
まず、図２及び図３により、第１実施形態の防水構造における概要について説明する。
図２及び図３に示すように、携帯電話機１は、フロントケース２ａと、リアケース２ｂと、防水部材としてのリング状のパッキン１００と、を有する。
フロントケース２ａ及びリアケース２ｂの外周には、溝部６０ａ及び６０ｂそれぞれが外周における全周にわたって形成される。
【００４２】
溝部６０ａには、陰極部１１０ａと、陽極部１２０ａとが形成される。溝部６０ｂには、陰極部１１０ｂと、陽極部１２０ｂとが形成される。
【００４３】
パッキン１００は、溝部６０ａ及び溝部６０ｂに収容される。具体的には、パッキン１００は、フロントケース２ａとリアケース２ｂとがそれぞれにおける外周が重なるように重ねあわされた状態で形成される収容部６０に弾性変形した状態で収容される。
【００４４】
図４及び図５により、防水構造について更に詳述する。
図４に示すように、接合領域５０は、筐体２における外部側から順に第１接合面６１と、収容部６０と、第２接合面６２とを有して構成される。
【００４５】
第１接合面６１は、フロントケース２ａの外周に形成される当接面６１ａと、リアケース２ｂの外周に形成される当接面６１ｂとにより構成される。第１接合面６１は、当接面６１ａと当接面６１ｂとが対向して密着するように配置されることで形成される。
【００４６】
第２接合面６２は、フロントケース２ａの外周に形成される当接面６２ａと、リアケース２ｂの外周に形成される当接面６２ｂとにより構成される。第２接合面６２は、当接面６２ａと当接面６２ｂとが対向して密着するように配置されることで形成される。
【００４７】
収容部６０は、第１接合面６１と第２接合面６２との間に形成される。収容部６０は、溝部６０ａ及び溝部６０ｂにより構成される。収容部６０は、筐体２の外周に沿うように形成される中空状の空間部である。
【００４８】
収容部６０には、パッキン１００が弾性変形された状態で収容配置される。具体的には、弾性変形可能なパッキン１００は、第１押当部１００ａと、第２押当部１００ｂと、第３押当部１００ｃと、第４押当部１００ｄとがそれぞれ収容部６０の内面に押し当てられるようにして配置される。第１押当部１００ａと、第２押当部１００ｂと、第３押当部１００ｃと、第４押当部１００ｄとは、外部から水や埃等が筐体内部に入り込むことを抑制するよう接合が強化された接合強化部である。
【００４９】
パッキン１００に形成される第１押当部１００ａと、第２押当部１００ｂと、第３押当部１００ｃと、第４押当部１００ｄとは、上述のように、それぞれ筐体２の内部に水が浸入することを抑制する。具体的には、第１押当部１００ａは、第１接合面６１から水が浸入することを抑制する。第２押当部１００ｂと第３押当部１００ｃとは、第１接合面６１から浸入した水が内部側へ移行することを抑制する。第４押当部１００ｄは、第２接合面６２から筐体２の内部に水が浸入することを抑制する。
【００５０】
収容部６０の内面には、陰極部１１０ａ、１１０ｂと、陽極部１２０ａ、１２０ｂとが形成される。具体的には、収容部６０における溝部６０ａ側には、陰極部１１０ａと陽極部１２０ａとが形成される。また、収容部６０における溝部６０ｂ側には、陰極部１１０ｂと陽極部１２０ｂとが形成される。陰極部１１０ａ、１１０ｂ及び陽極部１２０ａ、１２０ｂは、金属プレートを配置すること、金属蒸着すること、導電性の材料を印刷することや導電性の材料を塗布することで形成される。
【００５１】
陰極部１１０ａ、１１０ｂと、陽極部１２０ａ、１２０ｂとは、収容部６０における筐体内部側に偏って形成される。具体的には、陰極部１１０ａ、１１０ｂと、陽極部１２０ａ、１２０ｂとは、パッキン１００における第２押当部１００ｂ及び第３押当部１００ｃよりも筐体内部側に形成される。
【００５２】
陰極部１１０ａ、１１０ｂは、陽極部１２０ａ、１２０ｂよりも筐体外部側に配置される。陰極部１１０ａ、１１０ｂは、溝部６０ａ及び溝部６０ｂそれぞれの底面に形成される。
【００５３】
陽極部１２０ａ、１２０ｂは、陰極部１１０ａ、１１０ｂよりも筐体内部側に配置される。陽極部１２０ａ、１２０ｂは、溝部６０ａ及び溝部６０ｂそれぞれの筐体内部側の側壁に形成される。陽極部１２０ａ、１２０ｂそれぞれは、陰極部１１０ａ、１１０ｂそれぞれに対して垂直となる位置関係で配置される。
陰極部１１０ａ、１１０ｂそれぞれと、陽極部１２０ａ、１２０ｂそれぞれとは所定距離だけ離間して形成される。
【００５４】
陰極部１１０ａと陽極部１２０ａとは、検出部１４０ａに接続される。また、陰極部１１０ｂと陽極部１２０ｂとは、検出部１４０ｂに接続される。
ここで、検出部１４０ａ、１４０ｂは、陰極部１１０ａ、１１０ｂと陽極部１２０ａ、１２０ｂとの間の電流を検出する。これにより、携帯電話機１は、筐体２の外周におけるどの位置から水が浸入したかを検知することができる。検出部１４０ａ、１４０ｂについては、後に詳述する。
【００５５】
ここで、上述の通り、陰極部１１０ａ、１１０ｂと、陽極部１２０ａ、１２０ｂとは、筐体２における外周の全周にわたって形成される。詳細には、陰極部１１０ａ、１１０ｂと、陽極部１２０ａ、１２０ｂとは、筐体２における外周に形成される接合領域５０の全周にわたって形成される。
【００５６】
具体的には、図５に示すように、陰極部１１０ａと陽極部１２０ａとは、フロントケース２ａにおける外周に形成される溝部６０ａに全周にわたって形成される。また、陰極部１１０ｂと陽極部１２０ｂとにおいても、図示しないが同様にリアケース２ｂにおける外周に形成される溝部６０ｂに全周にわたって形成される。
【００５７】
また、陰極部１１０ａ、１１０ｂそれぞれの筐体外部側には、電解質の材料により構成される電解質部材１３０ａ、１３０ｂが配置される。具体的には、電解質部材１３０ａ、１３０ｂそれぞれは、第２押当部１００ｂ、第３押当部１００ｃそれぞれと溝部６０ａ、６０ｂそれぞれの底面との間に配置される。つまり、電解質部材１３０ａ、１３０ｂそれぞれは、外部から浸入した水の流れ方向において、陰極部１１０ａ、１１０ｂ及び陽極部１２０ａ及び１２０ｂの上流側に配置される。これにより、検出部１４０ａ、１４０ｂにおける検出感度を向上させることができる。
【００５８】
ここで、陰極部１１０ａ、１１０ｂそれぞれと、陽極部１２０ａ、１２０ｂそれぞれとにわたって広がる水は、電気分解されることで気体になる。浸入した水は、陰極部１１０ａ、１１０ｂそれぞれと、陽極部１２０ａ、１２０ｂそれぞれにより検知されると共に、電気分解されて気体にされる。つまり、本実施形態における携帯電話機１は、外部から水が浸入したことを検知すると共に、電子部品等が配置される筐体内部に水が移行することを抑制できる携帯電話機である。
【００５９】
図６から図８により、筐体２の内部に侵入する水を検知する方法及び構造について説明する。
まず、陰極部１１０ａ及び陽極部１２０ａは、長さあたりの抵抗値が既知である部材により構成される。陰極部１１０ａ及び陽極部１２０ａを上述のような部材により構成することで、電圧又は電流を監視することで、浸水により短絡した位置を特定することができる。
【００６０】
図６に示す位置Ｐ１から水が浸入した場合、位置Ｐ１において短絡する。また、図６に示す位置Ｐ２から水が浸入した場合、位置Ｐ２において短絡する。
ここで、上述のように、短絡した位置ごとに抵抗値が異なることから、監視する電圧又は電流の変化により、短絡した位置Ｐ１、Ｐ２は特定される。また、位置Ｐ１で短絡した場合の抵抗値と位置Ｐ２で短絡した場合の抵抗値とには差があるため、抵抗差分により短絡位置（浸水位置）が特定できる。
【００６１】
次いで、図７より、水が位置Ｐ１から浸入した場合における位置Ｐ１の特定方法について説明する。
図７に示すように、検出部１４０ａは、電源部１５０ａと内部抵抗Ｒｉｎとを有する。
短絡の検知は、内部抵抗Ｒｉｎと、抵抗Ｒｐとの間の信号ＳＶ１を監視して行う。例えば、Ｒｉｎ＝Ｒｐの場合、検出信号は電源部１５０ａから印加されている電圧の１／２以下になるため、この信号ＳＶ１を監視すれば容易に浸水位置（短絡位置、位置Ｐ１）を検知することができる。
【００６２】
また、電圧に基づいて検知する場合には、上述の信号ＳＶ１をＡ／Ｄコンバータにより変換して電圧監視すれば浸水位置（短絡位置）を特定することができる。内部抵抗Ｒｉｎと浸水位置（位置Ｐ１）での抵抗値Ｒｓｈとで電圧が確定することから逆算することで浸水位置の推定が可能である。
【００６３】
また、電流に基づいて検知する場合には、電流を測定器により直接測定するか、また、信号ＳＶ１と信号ＳＶ２とにより測定される電圧から電流を算出する。そして、浸水位置までの抵抗値Ｒｐを算出することにより浸水位置が特定できる。
【００６４】
ここで、信号ＳＶ１及び信号ＳＶ２の検出は、上述の受信部におけるアンテナを用いた受信に対応（同期）して間欠的に行う。つまり、間欠受信に伴い発生する内部電圧を用いて信号ＳＶ１及び信号ＳＶ２を検出する。これにより、水の浸入を検知する機能を維持すると共に、信号ＳＶ１及び信号ＳＶ２の検出のためだけに電力を消費する必要がないため省電力化をはかることができる。
【００６５】
続けて、図８により、携帯電話機１における機能ブロック図について説明する。
図８に示すように、携帯電話機１は、上述の検出部１４０ａ、１４０ｂと、制御部２１０と、報知部２２０と、アプリケーション動作部２３０と、電源制御部２４０と有する。
【００６６】
検出部１４０ａ、１４０ｂは、上述の通り、陰極部１１０ａ、１１０ｂと陽極部１２０ａ、１２０ｂとの間の電流の変化を検出する。検出部１４０ａ、１４０は、上述の通り、内部抵抗Ｒｉｎと電源部１５０ａ、１５０ｂとを有する。
【００６７】
制御部２１０は、検出部１４０ａ、１４０ｂにおける検出結果に応じて所定の動作を行う。制御部２１０は、検出部１４０ａ、１４０ｂに受信部によるアンテナ部を用いた信号の受信に対応して上述の信号ＳＶ１と信号ＳＶ２とを検出させる。つまり、制御部２１０は、受信部によるアンテナ部を用いた信号の受信に対応して検出部１４０ａ、１４０ｂに上述の電流（値）を間欠的に検出（算出）させる。
【００６８】
また、制御部２１０は、検出部１４０ａ、１４０ｂからの検出結果に基づいて、報知部２２０に水が浸入したことを報知させる。
【００６９】
また、制御部２１０は、アプリケーション動作部２３０により所定のアプリケーションが動作されている動作状態において、所定の動作として、アプリケーション動作部２３０に動作状態のアプリケーションを非動作状態に遷移させる。ここで、非動作状態にさせるとは、例えば、動作中のアプリケーションを中断や中止させることや、携帯電話機１の主電源をオフにさせる等を例示できる。
【００７０】
また、制御部２１０は、水が浸入した位置に応じた所定の動作を行うことが可能である。後に詳述するが、筐体２の内部を複数のブロックに分けて（図９参照）、より細かな対応をしてもよい。例えば、制御部２１０は、電源制御部２４０に対して、浸水した位置を含むブロックに配置される電子部品や回路に供給される電源をオフさせてもよい。また、制御部２１０は、アプリケーション動作部２３０に浸水した位置よって影響を受ける動作中のアプリケーションを非動作状態にさせてもよい。また、制御部２１０は、報知部２２０にいずれのブロックに対応する位置から水が浸入したかを報知させてもよい。
【００７１】
報知部２２０は、制御部２１０からの指示に基づいて、所定の報知を行う。報知部２２０は、表示部２１や、不図示のスピーカや、不図示の発光部や、不図示のバイブレーション機構等によって構成される。
報知部２２０を構成する表示部２１は、所定の報知として、所定の文字や画像を表示する。また、発光部は、所定の報知として、所定の発光態様で発光する。また、バイブレーション機構は、所定の報知として、所定周期の振動を生じさせる。また、スピーカは、所定の報知として、所定の音を発音する。
【００７２】
また、水が浸入した位置（短絡位置）によって報知部２２０における報知態様が異なるように構成してもよい。例えば、表示部２１に水が浸入した位置を文字又は画像で表示させてもよい。また、発光部においては、水が浸入した位置の近傍に配置される発光部を発光させてもよい。また、スピーカにより水が浸水した位置を示す音声を発音させてもよい。
【００７３】
アプリケーション動作部２３０は、所定のアプリケーションを動作させる。また、アプリケーション動作部２３０は、動作状態である所定のアプリケーションを非動作状態にさせる。具体的には、アプリケーションが動作中において所定位置から水が浸入した場合、制御部２１０からの指示に基づいて、アプリケーション動作部２３０は、アプリケーションを動作状態から非動作状態に遷移させる。ここで、非動作状態にするとは、上述の通り、動作中のアプリケーションを中断や中止させることや、携帯電話機１の主電源をオフにさせる等をいう。また、アプリケーションとして、例えば、待ち受け機能、通話機能、メール機能、ワンセグ視聴機能、音楽再生機能等それぞれを動作させる各種アプリケーションを例示できる。
【００７４】
電源制御部２４０は、メイン回路基板やサブ回路基板に実装された電子部品や回路に供給する電力を制御する。電源制御部２４０は、制御部２１０からの指示に基づいて、所定の電子部品や回路への電力の供給を停止させる。
【００７５】
また、電源制御部２４０は、電子部品や回路を複数のブロックに分割して（図９参照）、それぞれ別個に電力を供給するように構成してもよい。この場合、電源制御部２４０は、制御部２１０からの指示に基づいて、該制御部２１０により検知された水が浸入した位置を含むブロックに実装される電子部品や回路への電力の供給を停止するように構成される。
【００７６】
続けて、図９及び図１０により、筐体２における位置Ｐ１から水が浸入した場合における作用について説明する。
図９に示すように、筐体２（２ａ）の内部は、複数のブロックに分割される。本実施形態においては、筐体２（２ａ）の内部は、ブロックＤからＩの６つのブロックに分割される。本実施形態において、各ブロックに配置される電子部品又は回路への電力の供給は、それぞれ個別にオン／オフ可能に構成される。
【００７７】
まず、筐体２（２ａ）における位置Ｐ１から水が浸入する（ＳＴ１）。浸入した水は、位置Ｐ１において、陰極部１１０ａと陽極部１２０ａとを短絡させる。
次いで、検出部１４０ａは、電流の変化を検出する（ＳＴ２）。検出部１４０ａにおける具体的な電流の検出（算出）方法は、上述の通りである。
【００７８】
続けて、制御部２１０により、検出部１４０ａにおける検出結果に基づいて、短絡した位置に対応する水が浸入した位置Ｐ１が検知される（ＳＴ３）。
【００７９】
制御部２１０は、報知部２２０に所定の報知をさせる（ＳＴ４）。例えば、制御部２１０は、表示部２１に水が浸入したことを表示すると共に、位置Ｐ１が画像により表示する。また、スピーカは、筐体２に水が浸入したことを報知させる所定の警告音を放音する。これより、ユーザは、筐体２の内部に水が浸入したことを知ることができる。
【００８０】
また、制御部２１０は、アプリケーション動作部２３０に動作中のアプリケーションを停止させる（ＳＴ５）。例えば、ワンセグ視聴機能を動作させるアプリケーションが動作中において水の浸入が検知された場合、制御部２１０は、アプリケーション動作部２３０に該アプリケーションの動作を停止するよう指示する。これにより、水が浸入した影響でアプリケーションが誤動作することや不図示のメモリに記憶されたデータが消去されることが抑制される。
【００８１】
また、制御部２１０は、電源制御部２４０に位置Ｐ１が含まれるブロックＩへの電力の供給を停止させる（ＳＴ６）。これにより、電子部品や回路において短絡が生じることによる故障や不具合が生じることを抑制できる。ここで、各ブロックは同じサイズに揃える必要は無い。また、各ブロックは、機能回路ブロックごと分けられたブロックにすることが好ましい。
【００８２】
続けて、図１１により、第２実施形態における携帯電話機１について説明する。第２実施形態における携帯電話機１は、第１実施形態における携帯電話機１と同様の構成であり、以下においては、第１実施形態と相違する点を中心に説明をし、同様の構成については説明を省略する。
図１１は、第２実施形態における検出部の構成を説明する図である。
【００８３】
図１１に示すように、本実施形態における携帯電話機１は、検出部を構成する内部抵抗を複数有するように構成される。詳細には、本実施形態における検出部は、陰極部１１０ａと陽極部１２０ａとの間に生じた短絡を検出する複数の短絡検出部を構成する複数の内部抵抗を有する。
【００８４】
実施形態において、検出部は、ブロックＤにおける短絡を検出するための内部抵抗Ｒｄと、ブロックＥにおける短絡を検出するための内部抵抗Ｒｅと、ブロックＦにおける短絡を検出するための内部抵抗Ｒｆと、ブロックＧにおける短絡を検出するための内部抵抗Ｒｇと、ブロックＨにおける短絡を検出するための内部抵抗Ｒｈと、ブロックＩにおける短絡を検出するための内部抵抗Ｒｉと、により構成される。内部抵抗Ｒｄ、Ｒｅ、Ｒｆ、Ｒｇ、Ｒｈ、Ｒｉそれぞれは、第１実施形態と同様に電源部１５１に電気的に接続される（図７参照）。
【００８５】
制御部２１０は、複数の短絡検出部のうちのいずれかの短絡検出部により短絡が検出されたかを判定すると共に、該判定の結果に応じた前記所定の動作を行う。所定の動作は、第１実施形態と同様である。
【００８６】
本実施形態によれば、水が浸入した位置を第１実施形態よりもより正確に検知することができる。特に、一度に複数個所から水が浸入した場合において、水が浸入した位置をより正確に検知することができる。
【００８７】
続けて、図１２により、第３実施形態における携帯電話機１について説明する。
図１２は、第３実施形態における水の浸入を検知するための構成を説明する図である。
図１２に示すように、第３実施形態における携帯電話機１は、筐体２とキーシート２００との間に形成される防水構造を有する。
図１２に示すように、第３実施形態における検出部は、筐体２と、筐体２の一部に載置されたキーシート２００との間から水が浸入することを検知する。
【００８８】
筐体２とキーシート２００との間には、筐体外部側から電解質部材１３２と、陰極部１１２と、陽極部１２２とが配置される。陰極部１１２と陽極部１２２とは、不図示の電源部を含む検出部１４２に接続される。
【００８９】
ここで、筐体外部から筐体２とキーシート２００との間を通って水が浸入した場合、浸入した水は、電解質部材１３２の一部を溶解させながら陰極部１１２と陽極部１２２とにわたって広がるように移行する。これにより、携帯電話機１は、筐体内部に水が浸入したことを検知する。
【００９０】
水の浸入が検出された場合、制御部２１０は、第１実施形態及び第２実施形態と同様に所定の動作を行う。これにより、本実施形態の携帯電話機１においても、筐体内部に水が浸入することを好適に抑制することができる。
【００９１】
上述の実施形態によれば、筐体２の内部へ水が浸入することを検知できると共に、水の浸入を検知した場合には所定の動作を行うことで水の浸入を好適に抑制することができる携帯電話機を提供することができる。
【００９２】
また、上述の実施形態によれば、水の浸入が検知された場合、報知部２２０によりその旨が報知される。これにより、ユーザは、水の浸入を知ることができ所定の対応を取ることができるので、筐体内部への水の浸入を好適に抑制できる。
【００９３】
また、上述の実施形態によれば、水の浸入が検知された場合、制御部２１０はアプリケーション動作部２３０に動作中のアプリケーションを非動作状態に遷移させることを指示する。これにより、アプリケーションにおける水の浸入に起因する悪影響が生じることを抑制できる。
【００９４】
また、上述の実施形態によれば、水が浸入した位置（短絡位置）を特定することができる。これにより、水の浸入に対してより細かに対応することができる。また、水が浸入した位置が特定できるので、パッキン等の防水部材における劣化箇所が特定できる。これにより、修理も好適に行うことができる。
【００９５】
上述の実施形態によれば、外部からの水を電気分解することで筐体２の内部に水が浸入することを抑制できる。また、上述の実施形態によれば、パッキン１００を用いた通常の防水構造に加えて、陰極部及び陽極部を利用して浸入した水を電気分解しているので、より高い防水機能を有する携帯電話機を提供することができる。また、陰極部及び陽極部は、パッキン１００により形成され水の浸入を検出して対応すべき必要性の高い押当部における筐体内部側に形成されるので、筐体内部への水の浸入を好適に抑制できる。
【００９６】
また、上述の実施形態によれば、浸入した水の流路方向において陰極部及び陽極部の前に電解質部材が配置されるので、確実に通電可能な水溶液となっている。これにより、筐体外部から浸入した水の種類に関係なく確実にその浸入を検知することができる。
【００９７】
また、上述の実施形態によれば、陰極部及び陽極部が基準電位部に電気的に接続される。これにより、携帯電話機において、静電対策効果を向上させることができる。
【００９８】
また、上述の実施形態によれば、陰極部が筐体外部側に配置され、陽極部が筐体内部側に配置される。これにより、例えば、陽極部が筐体外部側に配置された場合に筐体の表面から露出したグランド端子等との間で電流パスが形成されることが抑制される。これにより、無駄なリーク電流が生じることが抑制される。
【００９９】
また、上述の実施形態によれば、間欠受信に伴い発生する内部電圧を用いて検出部による検出を行うことで、携帯電話機１における省電力をはかることができる。陽極部が開放端であるために電力消費がほとんど無いと共に、検出時に検出部及び受信部等を間欠的に起動するため、消費電力を抑制して省電力化をはかることができる。
【０１００】
以上、好適な実施形態について説明したが、本発明は上述した実施形態に限定されることなく種々の形態で実施することができる。例えば、本実施形態において、携帯電子機器として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【０１０１】
また、上述の実施形態において、携帯電話機１は、筐体２において連結部を有さないタイプであるストレートタイプであるが、これに限定されず、例えば、筐体２が連結部を有すると共に連結部により折り畳み可能な折り畳みタイプや、スライドタイプや、回転（ターン）タイプや、いわゆる２軸ヒンジタイプであってもよい。
【０１０２】
また、上述の実施形態において、陰極部が筐体外側に配置され、陽極部が筐体内部側に配置されているが、これに限定されず、陰極部が筐体内部側に配置され、陽極部が筐体外部側に配置されていてもよい。
【０１０３】
また、上述の実施形態において、電解質部材は、浸入した水の流路方向において、陰極部及び陽極部の上流側に配置されているが、これに限定されず、陰極部と陽極部との間に配置されていてもよい。
【０１０４】
また、上述の実施形態において、陰極部及び陽極部は、収容部６０の内面（筐体２側）に形成されているが、これに限定されず、パッキン１００に形成されていてもよい。
【０１０５】
また、上述の実施形態において、防水部材としてパッキンが用いられているが、これに限定されず、例えば、防水部材として両面テープを用いてもよい。
【０１０６】
また、上述の実施形態において、陰極部と陽極部とは、それぞれ１ループだけであるが、これに限定されず、複数のループが形成されてもよい。この場合、水の検出における確実性が向上される。
【０１０７】
また、上述の実施形態における複数のブロックは、通電性のないリブ（壁部）によりそれぞれ隔てられるようにして形成されてもよい。
【０１０８】
また、上述の実施形態において、水が浸入した位置や時間等を含む浸水情報を記憶する不揮発性のメモリを更に有していてもよい。これにより、記憶された浸水情報を修理時に活用することで、正確な修理をすることができる。また、修理時において、故障が浸水によるものであることを知ることができる。また、製品（携帯電話機１）特有の情報として、ユーザへのサービス等に利用することができる。また、市場における部品不良の傾向調査に利用することもできる。
【０１０９】
また、上述の実施形態において、検出部１４０ａ、１４０ｂは、受信部によるアンテナ部を用いた信号の受信に対応して信号ＳＶ１と信号ＳＶ２とを検出するが、これに限定されず、信号ＳＶ１と信号ＳＶ２とを割り込み制御により監現するように構成してもよい。これにより、電源がオフ状態においても水の浸入を常時検知可能とすることができる。
【図面の簡単な説明】
【０１１０】
【図１】携帯電話機１の正面図である。
【図２】第１実施形態の携帯電話機１における防水構造を説明する斜視分解図である。
【図３】図１におけるＡ−Ａ断面図である。
【図４】図３における領域Ｂの部分拡大図である。
【図５】第１実施形態の陰極部１１０ａと陽極部１２０ａの配置を説明する模式図である。
【図６】第１実施形態における筐体２に浸入した水を検知する態様について説明する模式図である。
【図７】第１実施形態における筐体２に浸入した水を検知する態様について説明するブロック図である。
【図８】第１実施形態における機能ブロック図である。
【図９】第１実施形態における携帯電話機１の内部を複数のブロックに分けた場合の例を示す模式図である。
【図１０】第１実施形態における作用を説明するフロチャートである。
【図１１】第２実施形態における検出部の構成を説明する図である。
【図１２】第３実施形態における水の浸入を検知するための構成を説明する図である。
【符号の説明】
【０１１１】
１          携帯電話機
２          筐体
６０        収容部
６０ａ      溝部
６０ｂ      溝部
１００      パッキン
１１０ａ    陰極部
１１０ｂ    陰極部
１２０ａ    陽極部
１２０ｂ    陽極部
１３０ａ    電解質部材
１３０ｂ    電解質部材
１４０ａ    検出部
１４０ｂ    検出部
１５０ａ    電源部
１５０ｂ    電源部
２１０      制御部
２２０      報知部
２３０      アプリケーション動作部
２４０      電源制御部
【図１】
2010011205.tif 000003
【図２】
2010011205.tif 000004
【図３】
2010011205.tif 000005
【図４】
2010011205.tif 000006
【図５】
2010011205.tif 000007
【図６】
2010011205.tif 000008
【図７】
2010011205.tif 000009
【図８】
2010011205.tif 000010
【図９】
2010011205.tif 000011
【図１０】
2010011205.tif 000012
【図１１】
2010011205.tif 000013
【図１２】
2010011205.tif 000014